(57)【要約】【課題】  機器によってワイヤハーネスが接続されるコネクタ接続部の端子配列が異なっていても、共通のワイヤハーネスを接続することを可能にする。【解決手段】  機器１とワイヤハーネス２は、配列変換用ワイヤハーネス３を介して接続される。配列変換用ワイヤハーネス３は、複数本の電線４の一端側に、機器１のコネクタ接続部５の端子配列に合わせて分割して配列組み替えすることにより形成され前記機器１に接続される機器側コネクタ６を有するとともに、他端側に、ワイヤハーネス２のコネクタ７に接続されるハーネス側コネクタ８を有する。【選択図】  図１
2005063711.tif 000002
【特許請求の範囲】
【請求項１】
機器と該機器に接続されるワイヤハーネスとを、該ワイヤハーネスのコネクタの端子配列を前記機器のコネクタ接続部の端子配列に合わせるための配列変換用ワイヤハーネスを介して接続した
ことを特徴とする機器とワイヤハーネスとの接続構造。
【請求項２】
機器と該機器に接続されるワイヤハーネスとの接続構造であって、
複数本の電線の一端側に、分割可能に構成された長尺コネクタを前記機器のコネクタ接続部の端子配列に合わせて分割して配列組み替えすることにより形成され前記機器に接続される機器側コネクタを有するとともに、他端側に、前記ワイヤハーネスのコネクタに接続されるハーネス側コネクタを有する配列変換用ワイヤハーネスを介して前記機器と前記ワイヤハーネスとを接続した
ことを特徴とする機器とワイヤハーネスとの接続構造。
【請求項３】
機器に接続されるワイヤハーネスの製造方法であって、
複数本の電線の一端側に、分割可能に構成された長尺コネクタを有するとともに、他端側に、前記ワイヤハーネスのコネクタに接続されるハーネス側コネクタを有する配列変換用パラレルワイヤハーネスを用意する工程と、
該配列変換用パラレルワイヤハーネスの前記長尺コネクタを分割して分割部材を形成する工程と、
該分割部材を、前記機器のコネクタ接続部の端子配列に合わせて配列組み替えすることにより、前記機器に接続される機器側コネクタを形成して配列変換用ワイヤハーネスを形成する工程と、
を含むことを特徴とするワイヤハーネスの製造方法。
【請求項４】
機器と該機器に接続されるワイヤハーネスとの間に介在し、
複数本の電線の一端側に、分割可能に構成された長尺コネクタを前記機器のコネクタ接続部の端子配列に合わせて分割して配列組み替えすることにより形成され前記機器に接続される機器側コネクタを有するとともに、他端側に、前記ワイヤハーネスのコネクタに接続されるハーネス側コネクタを有する
ことを特徴とする配列変換用ワイヤハーネス。
【発明の詳細な説明】
【技術分野】
【０００１】
本発明は、機器とワイヤハーネスとの接続構造、機器に接続されるワイヤハーネスの製造方法及び機器とワイヤハーネスとの接続に用いられる配列変換用ワイヤハーネスに関する。
【背景技術】
【０００２】
例えば、ワイヤハーネスが接続される機器として、エンジンのシリンダー内への燃料の噴射量を制御するために自動車に搭載される燃料噴射制御用電子制御装置が挙げられる。
【０００３】
かかる燃料噴射制御用電子制御装置は、車体に設けられた各種センサから吸入空気量やエンジン回転速度等の各情報が入力され、これらの入力情報に基づきエンジンに最適な燃料噴射量を制御するようになっている。このため、このような燃料噴射制御用電子制御装置には、各種センサー等からの信号の入力及び燃料噴射装置への信号の出力を行うためのワイヤハーネスが接続されるようになっている（例えば、特許文献１参照。）。
【特許文献１】特開２００２−３０３２２１号公報
【発明の開示】
【発明が解決しようとする課題】
【０００４】
しかしながら、ワイヤハーネスのコネクタを接続するための燃料噴射制御用電子制御装置のコネクタ接続部の端子配列は、エンジンの種類（例えば、直列エンジン、Ｖ型エンジン、ディーゼルエンジン）によって異なっている。したがって、従来においては、燃料噴射制御用電子制御装置に接続されるワイヤハーネスも、接続対象となる燃料噴射制御用電子制御装置のコネクタ接続部の端子配列に合ったものを用意しなければならず、接続対象毎に異なるワイヤハーネスを用意しなければならなかった。
【０００５】
本発明は、このように機器によってワイヤハーネスが接続されるコネクタ接続部の端子配列が異なっていても、共通のワイヤハーネスを接続することを可能にする機器とワイヤハーネスとの接続構造、ワイヤハーネスの製造方法及び配列変換用ワイヤハーネスを提供することを目的とする。
【課題を解決するための手段】
【０００６】
上記課題を解決するために、請求項１に記載の発明は、機器と該機器に接続されるワイヤハーネスとを、該ワイヤハーネスのコネクタの端子配列を前記機器のコネクタ接続部の端子配列に合わせるための配列変換用ワイヤハーネスを介して接続したことを特徴とする。
【０００７】
請求項２に記載の発明は、機器と該機器に接続されるワイヤハーネスとの接続構造であって、複数本の電線の一端側に、分割可能に構成された長尺コネクタを前記機器のコネクタ接続部の端子配列に合わせて分割して配列組み替えすることにより形成され前記機器に接続される機器側コネクタを有するとともに、他端側に、前記ワイヤハーネスのコネクタに接続されるハーネス側コネクタを有する配列変換用ワイヤハーネスを介して前記機器と前記ワイヤハーネスとを接続したことを特徴とする。
【０００８】
請求項３に記載の発明は、機器に接続されるワイヤハーネスの製造方法であって、複数本の電線の一端側に、分割可能に構成された長尺コネクタを有するとともに、他端側に、前記ワイヤハーネスのコネクタに接続されるハーネス側コネクタを有する配列変換用パラレルワイヤハーネスを用意する工程と、該配列変換用パラレルワイヤハーネスの前記長尺コネクタを分割して分割部材を形成する工程と、該分割部材を、前記機器のコネクタ接続部の端子配列に合わせて配列組み替えすることにより、前記機器に接続される機器側コネクタを形成して配列変換用ワイヤハーネスを形成する工程と、を含むことを特徴とする。
【０００９】
請求項４に記載の発明は、機器と該機器に接続されるワイヤハーネスとの間に介在し、複数本の電線の一端側に、分割可能に構成された長尺コネクタを前記機器のコネクタ接続部の端子配列に合わせて分割して配列組み替えすることにより形成され前記機器に接続される機器側コネクタを有するとともに、他端側に、前記ワイヤハーネスのコネクタに接続されるハーネス側コネクタを有することを特徴とする。
【発明の効果】
【００１０】
上記請求項１に記載の発明によれば、機器とワイヤハーネスとを前記配列変換用ワイヤハーネスを介して接続するので、コネクタ接続部の端子配列が異なる機器であっても共通のワイヤハーネスを接続することが可能となる。また、このように共通のワイヤハーネスを用いることができるので、ワイヤハーネスの生産性の向上を図ることができる。
【００１１】
請求項２に記載の発明によれば、機器とワイヤハーネスとの接続は、機器のコネクタ接続部の端子配列に合わせて形成された配列変換用ワイヤハーネスの機器側コネクタを機器のコネクタ接続部に接続するとともに、ハーネス側コネクタをワイヤハーネスのコネクタに接続することにより行う。このように、配列変換用ワイヤハーネスを介して機器とワイヤハーネスとの接続を行うことにより、コネクタ接続部の端子配列が異なる機器であっても、共通のワイヤハーネスを接続することが可能である。また、このように共通のワイヤハーネスを用いることができるので、ワイヤハーネスの生産性の向上を図ることができる。
【００１２】
請求項３に記載の発明によれば、ワイヤハーネスは、機器のコネクタ接続部の端子配列に合わせて形成された機器側コネクタを有する配列変換用ワイヤハーネスを介して機器に接続される。これにより、コネクタ接続部の端子配列が異なる機器であっても、共通のワイヤハーネスを接続することが可能である。また、このように共通のワイヤハーネスを用いることができるので、ワイヤハーネスの生産性の向上を図ることができる。
【００１３】
請求項４に記載の発明によれば、機器とワイヤハーネスとを前記配列変換用ワイヤハーネスを介して接続するので、コネクタ接続部の端子配列が異なる機器であっても共通のワイヤハーネスを接続することが可能となる。また、共通のワイヤハーネスを用いることができるので、ワイヤハーネスの生産性の向上を図ることができる。
【発明を実施するための最良の形態】
【００１４】
以下、本発明の実施の形態の一例について図面を参照して詳細に説明する。  
図１は本発明に係る機器とワイヤハーネスとの接続構造の実施の形態の一例を示す斜視図、図２は配列変換用パラレルワイヤハーネスを示す斜視図、図３は図２に示す配列変換用パラレルワイヤハーネスの長尺コネクタを構成するハウジングを示す斜視図、図４は図２に示す配列変換用パラレルワイヤハーネスの長尺コネクタを構成する端子を示す斜視図である。
【００１５】
図において、符号１は例えば燃料噴射制御用電子制御装置などの機器、符号２は機器１に接続されるワイヤハーネスであり、機器１とワイヤハーネス２は、配列変換用ワイヤハーネス３を介して接続されるようになっている。
【００１６】
配列変換用ワイヤハーネス３は、複数本の電線４の一端側に設けられ機器１のコネクタ接続部５に接続される機器側コネクタ６と他端側に設けられたワイヤハーネス２のコネクタ７に接続されるハーネス側コネクタ８（既知構成のコネクタ）とを有して構成されている。
【００１７】
この配列変換用ワイヤハーネス３は、図２に示す配列変換用パラレルワイヤハーネス９から形成される。以下これについて詳しく説明する。  
配列変換用パラレルワイヤハーネス９は、複数本の電線４の一端側に分割可能に構成された長尺コネクタ１０を有するとともに、複数本の電線４の他端側に、前記ハーネス側コネクタ８を有して構成されている。
【００１８】
前記長尺コネクタ１０は、図３に示すハウジング１１と、ハウジング１１に設けられた図４に示す端子１２とを含んで構成されている。  
前記ハウジング１１について詳しく説明すると、このハウジング１１は、絶縁性を有する合成樹脂で形成されており、略帯状に形成された基板１３に、その幅方向に沿って形成された隔壁１４を有している。この隔壁１４は、基板１３の長さ方向に所定の間隔を隔てて複数設けられている。また、基板１３には、その幅方向の一端側に、長さ方向に沿って形成された壁部１５が形成されている。そして、この壁部１５と隣り合う隔壁１４，１４とで形成される空間が、前記端子１２を収容するための端子収容部１６となっている。端子収容部１６の、壁部１５と反対側（基板１３の幅方向の一端側）は、開放状態となっている。
【００１９】
前記壁部１５には、端子収容部１６に収容された端子１２に対して相手となる機器１のコネクタ接続部５の雄端子（図示省略）を挿し込むための挿入口１７が端子収容部１６に連通して形成されている。
【００２０】
前記隔壁１４の両側面には係止突起１８が形成されている。係止突起１８は、端子収容部１６に挿入される端子１２の抜け止めを行うためのものであり、上方からの端子１２の挿入を容易に行えるように、基板１３から離れる方向に向かって先細りとなる傾斜面を有している。
【００２１】
このように構成されたハウジング１１は、図３において二点鎖線で示すように、予め端子収容部１６が多数設けられた素材ハウジング１９を所定長さに切断することにより形成される。したがって、ハウジング１１は、長手方向の両端部に、隔壁１４の一面及び係止突起１８の片側が露呈し、二分の一に半割りされた端子収容部１６と挿入口１７とが現れている。
【００２２】
端子収容部１６に収容される前記端子１２は、金属板を加工した雌端子であり、相手方の機器１のコネクタ接続部５の雄端子（図示省略）に対して弾性的に接触する接続部２０と、電線４を接続する電線接続部２１と、電線４を被覆４ａと一体的に加締止めする電線固定部２２とが一体に設けられている圧接端子である。前記電線接続部２１には、内側に向かって相対向するようにして形成された一対の圧接刃２３，２３が２箇所形成されている。なお、接続部２０は、図示しないが略箱状の保護部によって覆われている。
【００２３】
このような端子１２に電線４を接続する場合は、電線接続部２１内に上方から電線４を圧入する。これにより、圧接刃２３が電線４の被覆４ａに切り込み、芯線４ｂに接触して、電線４と端子１２とが通電可能に接続されるようになっている。
【００２４】
以上のような端子１２は、端子収容部１６に対して、該端子収容部１６の壁部１５側に前記接続部２０が向くようにして収容される。そして、端子収容部１６に収容された端子１２に電線４を接続し、長尺コネクタ１０とする。
【００２５】
長尺コネクタ１０は分割部２４において分割されるようになっている。この分割部２４は、端子１２が収容されていない端子収容部１６によって構成されている。したがって、このような分割部２４が形成されるよう、所定の端子収容部１６に端子１２が収容されるようになっている。
【００２６】
配列変換用ワイヤハーネス３を形成するには、以上のような配列変換用パラレルワイヤハーネス９の長尺コネクタ１０を、例えば図２に示すような位置の複数の分割部２４において分割して（具体的には、端子１２が収容されていない端子収容部１６においてハウジング１１を切断して）、分割部材１０ａ，１０ｂ，１０ｃ，１０ｄ，１０ｅ，１０ｆを形成する。そして、これら分割部材１０ａ，１０ｂ，１０ｃ，１０ｄ，１０ｅ，１０ｆを、機器１のコネクタ接続部５の端子配列に合わせて配列組み替えして、一点鎖線で示すカバー２５で保持させることにより、機器側コネクタ６が形成される。これにより、複数本の電線４の一端側に機器側コネクタ６を有するとともに、他端側にハーネス側コネクタ８を有する配列変換用ワイヤハーネス３となる。
【００２７】
機器１とワイヤハーネス２とを接続するには、配列変換用ワイヤハーネス３の機器側コネクタ６を機器１のコネクタ接続部５に接続するとともに、ハーネス側コネクタ８をワイヤハーネス２のコネクタ７に接続する。
【００２８】
以上のようにして機器１に接続されるワイヤハーネス２の製造方法は、複数本の電線４の一端側に長尺コネクタ１０を有するとともに、他端側にハーネス側コネクタ８を有する前記配列変換用パラレルワイヤハーネス９を用意する工程と、長尺コネクタ１０を複数の分割部２４で分割して分割部材１０ａ，１０ｂ，１０ｃ，１０ｄ，１０ｅ，１０ｆを形成する工程と、これらの分割部材１０ａ，１０ｂ，１０ｃ，１０ｄ，１０ｅ，１０ｆを機器１のコネクタ接続部５の端子配列に合わせて配列組み替えして機器側コネクタ６を形成して配列変換用ワイヤハーネス３を形成する工程とを含んでなる。
【００２９】
そして、上記製造方法にあって、前記配列変換用パラレルワイヤハーネス９を用意する工程としては、複数本の電線４の一端側と他端側に、予め長尺コネクタ１０とハーネス側コネクタ８とがそれぞれ設けられた完成状態の配列変換用パラレルワイヤハーネス９を用意してもよいし、複数本の電線４を用意し、かかる複数本の電線４の一端側と他端側に、それぞれ長尺コネクタ１０とハーネス側コネクタ８とを設けて配列変換用パラレルワイヤハーネス９を形成することによりこれを用意してもよい。
【００３０】
以上説明した本実施の形態によれば、機器１のコネクタ接続部５の端子配列とワイヤハーネス２のコネクタ７の端子配列とが異なっていても、ワイヤハーネス２のコネクタ７に配列変換用ワイヤハーネス３のハーネス側コネクタ８を接続し、機器１のコネクタ接続部５に、該コネクタ接続部５の端子配列に合わせて形成された機器側コネクタ６を接続することにより、配列変換用ワイヤハーネス３を介して機器１とワイヤハーネス２とを接続することができる。したがって、コネクタ接続部５の端子配列が異なっている機器であっても、配列変換用ワイヤハーネス３を介して共通のワイヤハーネス２を接続することができる。  
また、このように共通のワイヤハーネス２を用いることができるので、ワイヤハーネス２の生産性の向上を図ることができる。
【図面の簡単な説明】
【００３１】
【図１】本発明に係る機器とワイヤハーネスとの接続構造を示す斜視図。
【図２】配列変換用パラレルワイヤハーネスを示す斜視図。
【図３】図２に示す配列変換用パラレルワイヤハーネスの長尺コネクタを構成するハウジングを示す斜視図。
【図４】図２に示す配列変換用パラレルワイヤハーネスの長尺コネクタを構成する端子を示す斜視図。
【符号の説明】
【００３２】
１      機器
２      ワイヤハーネス
３      配列変換用ワイヤハーネス
４      電線
５      コネクタ接続部
６      機器側コネクタ
７      コネクタ
８      ハーネス側コネクタ
９      配列変換用パラレルワイヤハーネス
１０    長尺コネクタ
１０ａ，１０ｂ，１０ｃ，１０ｄ，１０ｅ，１０ｆ    分割部材
【図１】
2005063711.tif 000003
【図２】
2005063711.tif 000004
【図３】
2005063711.tif 000005
【図４】
2005063711.tif 000006